(57)【要約】【課題】  膝関節の動揺の抑制作用、関節周辺の筋力の補助作用、屈曲性及び保温性を確保しつつ、膝の関節軟骨の負担を軽減する。【解決手段】  膝専用サポーター1は、膝の上部に巻き付けて固定する第１固定ベルト2と、膝の下部に巻き付けて固定する第２固定ベルト3と、前記第１固定ベルト2及び第２固定ベルト3の両端近傍に各々接合され、膝の前面を覆うように固定する第１中間ベルト4及び第２中間ベルト5と、前記第１固定ベルト2及び第２固定ベルト3の一端近傍に接合され、膝の前面を覆うように前記第１中間ベルト4又は第２中間ベルト5に重ねて先端を前記第１固定ベルト2又は第２固定ベルト3に固定する山形形状の第１山形ベルト6及び第２山形ベルト7を備え、前記第１固定ベルト2及び第２固定ベルト3と、第１、第２中間ベルト4,5と、第１、第２山形ベルト6,7は伸縮性を有するものである。【選択図】      図４
2009072304.tif 000002
【特許請求の範囲】
【請求項１】
膝の上部に巻き付けて固定する第１固定ベルトと、
膝の下部に巻き付けて固定する第２固定ベルトと、
前記第１固定ベルト及び第２固定ベルトの両端近傍に各々接合され、膝の前面を覆うように固定する第１中間ベルト及び第２中間ベルトと、
前記第１固定ベルト及び第２固定ベルトの一端近傍に接合され、膝の前面を覆うように前記第１中間ベルト又は第２中間ベルトに重ねて先端を前記第１固定ベルト又は第２固定ベルトに固定する山形形状の第１山形ベルトと、
前記第１固定ベルト及び第２固定ベルトの一端近傍に接合され、膝の前面を覆うように前記第１山形ベルトと同一の第１又は第２中間ベルトに重ね、先端を前記第１山形ベルトとは逆の第１又は第２固定ベルトに固定する山形形状の第２山形ベルトを備え、
前記第１固定ベルト及び第２固定ベルトと、第１、第２中間ベルトと、第１、第２山形ベルトは伸縮性を有することを特徴とする膝専用サポーター。
【請求項２】
前記第１、第２中間ベルトと第１、第２山形ベルトの伸縮性が前記第１固定ベルト及び第２固定ベルトの伸縮性よりも高いことを特徴とする請求項１に記載の膝専用サポーター。
【請求項３】
前記第１固定ベルト及び第２固定ベルトが膝に巻き付けられて所定の位置に固定されたとき、膝裏面に開口を有することを特徴とする請求項１又は請求項２に記載の膝専用サポーター。
【請求項４】
前記第１固定ベルト及び第２固定ベルトは、一端に取付自在の係着手段を有し、該係着手段は、前記第１固定ベルト及び第２固定ベルトが膝に巻き付けられて所定の位置に固定されたとき、膝の前面において係着されることを特徴とする請求項１乃至請求項３の何れかに記載の膝専用サポーター。
【発明の詳細な説明】
【技術分野】
【０００１】
本発明は、膝部を適度に固定し、膝周辺の筋肉を補強する膝専用サポーターに関する。
【背景技術】
【０００２】
変形性膝関節症は、筋力不足や軟骨の摩耗、血行不良、そして怪我や関節の疲労等を起因として慢性的な痛みを伴うものである。この変形性膝関節症の治療方法として、装具療法がある。使用される装具には、プラスチックや金属等の枠組みで形成され、膝に装着する物や、靴や脚に装着する足底装具等があるが、医療機関でなくとも自分で購入することができ、装着も容易な膝専用サポーターが多用されている。
【０００３】
この膝専用サポーターについては、関節の動揺の抑制、関節周辺の筋肉の補強、保温等の効果により膝の痛みを軽減することを目的として、多くの提案がされている。
【０００４】
例えば、特許第３７２１５５５号公報（特許文献１）では、膝関節の上部及び下部に巻き付けて固定される上部及び下部固定部、膝蓋骨の前面側において上下方向に配置される第１補助部材、及び前記上部及び下部固定部に取り付けられた略Ｖ字状の第２、第３補助部材より構成され、前記上部固定部を膝の上部に巻き付けて固定し、下部固定部を下に引っ張り第１補助部材に張力を与えた状態で膝の下部に巻き付けて固定し、第２、第３補助部材を順に横に引っ張って、膝蓋骨が第２、第３補助部材の開口にはまり込む形で上部又は下部固定部に貼り付ける発明が提案されている。
【０００５】
この特許文献１の提案において、膝関節は張力が掛けられた第２、第３補助部材により膝の前面側及びその周辺部が拘束され、且つ膝蓋骨が第２、第３補助部材の開口に拘束されることにより、膝関節の動揺性が抑えられる。更に、第１補助部材に掛かる上下方向の張力、及び第２、第３補助部材の斜め部材に掛かる張力が、膝の屈伸の際、膝を伸ばす方向に作用するため、大腿四頭筋の筋力の補助作用が働き、痛みを軽減することができる。
【０００６】
又、特開２００６−２９９４５３号公報（特許文献２）では、関節の外側部のうち屈曲時における角部を覆う部分の伸縮性が、その上下に位置する部分の伸縮性よりも高いことを特徴とする発明が提案されている。
【０００７】
この特許文献２の提案においては、膝頭に当接する部分に、膝頭の上下に配置される生地よりも伸縮性の高い生地が配置されるため、関節の折り曲げ性を確保しつつ、関節の保護を行うことができる。
【０００８】
更に、特開２００４−３３２１２５号公報（特許文献３）では、伸縮性軟質生地から成るサポーター本体と、伸縮性軟質生地から成る膝頭用の覆い布片より構成され、サポーター本体が、膝裏部と、該膝裏部の左右の側部に形成されて左右に伸張し且つ途中で上下に二股状に分離して上側及び下側突片を形成した左右の巻付け布片とを備え、巻付け布片には、左右の上側突片の端部を係合する上側突片係合手段と、左右の下側突片の端部を係合する下側突片係合手段を設け、覆い布片は、膝裏部の左右いずれか一方の側部の裏面側に取着されており、覆い布片の端部には、膝裏部の他方の側部近傍の裏面と着脱可能に係合する覆い布片係合手段を設けたものであり、膝頭部に覆い布片を巻き付けて覆い布片係合手段により係合固定し、更に巻付け布片の上側突片を膝頭の上側で、下側突片を膝頭の下側でそれぞれ係合し固定する膝サポーターが提案されている。
【０００９】
この特許文献３の提案においては、覆い布片が膝頭に直に接触して膝頭を圧迫することなく保温し、巻付け布片が覆い布片の上から膝頭周囲に固定されるので、膝頭を損傷している場合でも、膝頭の周囲のみを圧迫固定して膝関節の痛みを緩和することができる。
【特許文献１】特許第３７２１５５５号公報
【特許文献２】特開２００６−２９９４５３号公報
【特許文献３】特開２００４−３３２１２５号公報
【発明の開示】
【発明が解決しようとする課題】
【００１０】
変形性膝関節症は、症状が進むと軟骨下骨が露出し、更には骨棘といった骨そのものの変形が生じてしまう場合があり、特にその変形は膝の内側にみられることが多い。この要因の一つとして日本人女性に多くみられるＯ脚が考えられている。Ｏ脚の場合、膝の内側に負担がかかりやすくなるためである。そして、変形性膝関節症を持つ人は、歩くなどの運動をすると、この負担により痛みを感じるため、膝の運動を困難で億劫なものと感じ、運動不足になりがちとなり、肥満と筋肉の衰退を招来し、膝への負担を更に大きくしてしまうといった悪循環に陥る場合がある。このような悪循環を断ち切るには、膝の内側の関節軟骨の負担を軽減し、痛みを緩和させ、膝の運動を促すことが有効である。前述したような従来の技術においては、膝関節の動揺の抑制作用、関節周辺の筋力の補助作用、屈曲性及び保温性の向上を図ることができるが、症状の進行の要因ともなっているＯ脚者の膝の内側の関節軟骨の負担を軽減するといった効果が薄いといった問題点があった。
【００１１】
又、従来のサポーターは一部の伸縮部材で膝蓋骨を覆うも、他の伸縮部材で膝蓋骨の周囲を覆い、膝蓋骨の位置がずれないように固定するものであり、膝頭の位置から斜め上方に位置する内側広筋や外側広筋を補助するには不充分であった。
【００１２】
そこで、本発明は、膝関節の動揺の抑制作用、関節周辺の筋力の補助作用、屈曲性及び保温性を確保しつつ、Ｏ脚者の膝の内側の関節軟骨の負担を軽減する膝専用サポーターを提供することを目的としている。
【課題を解決するための手段】
【００１３】
本発明の膝専用サポーターは、膝の上部に巻き付けて固定する第１固定ベルトと、膝の下部に巻き付けて固定する第２固定ベルトと、前記第１固定ベルト及び第２固定ベルトの両端近傍に各々接合され、膝の前面を覆うように固定する第１中間ベルト及び第２中間ベルトと、前記第１固定ベルト及び第２固定ベルトの一端近傍に接合され、膝の前面を覆うように前記第１中間ベルト又は第２中間ベルトに重ねて先端を前記第１固定ベルト又は第２固定ベルトに固定する山形形状の第１山形ベルトと、前記第１固定ベルト及び第２固定ベルトの一端近傍に接合され、膝の前面を覆うように前記第１山形ベルトと同一の第１又は第２中間ベルトに重ね、先端を前記第１山形ベルトとは逆の第１又は第２固定ベルトに固定する山形形状の第２山形ベルトを備え、前記第１固定ベルト及び第２固定ベルトと、第１、第２中間ベルトと、第１、第２山形ベルトは伸縮性を有することを特徴とする。
【００１４】
又、この膝専用サポーターは前記第１、第２中間ベルトと第１、第２山形ベルトの伸縮性が前記第１固定ベルト及び第２固定ベルトの伸縮性よりも高いことを特徴とするものである。
【００１５】
更に、前記第１固定ベルト及び第２固定ベルトが膝に巻き付けられて所定の位置に固定されたとき、膝裏面に開口を有するものである。
【００１６】
そして、前記第１固定ベルト及び第２固定ベルトは、一端に取付自在の係着手段を有し、該係着手段は、前記第１固定ベルト及び第２固定ベルトが膝に巻き付けられて所定の位置に固定されたとき、膝の前面において係着されるものである。
【発明の効果】
【００１７】
本発明によれば、第１、第２固定ベルトを膝の前面で重ねて巻き付け固定し、第１、第２中間ベルトと第１、第２山形ベルトを上下方向や斜め方向に張力を与えた状態で、重ねて膝蓋骨の前面に装着することで、膝蓋骨全体と膝蓋骨周辺の筋肉を適度に圧迫し、特に膝の内側の筋肉を他の部分よりも強く圧迫することで、膝関節の動揺の抑制作用、関節周辺の筋力の補助作用、屈曲性及び保温性を確保しつつ、Ｏ脚者の膝の内側の関節軟骨の負担を軽減する膝専用サポーターを提供することができる。
【００１８】
又、第１、第２中間ベルトと第１、第２山形ベルトの伸縮性を第１固定ベルト及び第２固定ベルトの伸縮性よりも高くしているため、この膝専用サポーターを固定ベルトにより膝部へ確実に固定することができ、膝専用サポーターの膝裏に当たる部分には開口を有しているため、膝の屈曲伸長を阻害することがない。
【００１９】
更に、第１固定ベルト及び第２固定ベルトの両端に第１中間ベルト及び第２中間ベルトを設けると共に第１、第２固定ベルトの一端に係着手段を設けているため、中間ベルトを膝頭の位置に合わせることにより、膝の前方で固定ベルトの両端を重ねるようにして容易にこの膝専用サポーターを装着することができる。
【発明を実施するための最良の形態】
【００２０】
本発明を実施するための最良の形態の膝専用サポーター1は、膝の上部に巻き付けて固定する帯状の第１固定ベルト2と、膝の下部に巻き付けて固定する帯状の第２固定ベルト3と、第１固定ベルト2及び第２固定ベルト3の両端近傍に各々接合され膝の前面を覆うように固定する第１中間ベルト4及び第２中間ベルト5と、第１固定ベルト2及び第２固定ベルト3の一端近傍に接合され膝の前面を覆うように第１中間ベルト4又は第２中間ベルト5に重ねて先端を第１固定ベルト2又は第２固定ベルト3に固定する山形形状の第１山形ベルト6と、第１固定ベルト2及び第２固定ベルト3の一端近傍に接合され膝の前面を覆うように第１山形ベルト6と同一の第１又は第２中間ベルト4,5に重ね、先端を第１山形ベルト6とは逆の第１又は第２固定ベルト2,3に固定する山形形状の第２山形ベルト7と、を備えるものである。
【００２１】
又、膝専用サポーター1は、第１及び第２固定ベルト2,3と第１、第２中間ベルト4,5に囲まれて成る開口12を有し、この開口12は第１固定ベルト2及び第２固定ベルト3が膝に巻き付けられて所定の位置に固定されたとき、膝裏面に配置されるものであり、膝裏面で最大幅となるように楕円状に形成されているものである。
【００２２】
そして、第１及び第２固定ベルト2,3は、この開口12の形状に合わせてそれぞれ外方へ張り出させた形状とし、面ファスナーが貼り付く材質から成る第１及び第２固定ベルト2,3の表面と、裏面の一端に縫着される面ファスナーから成る取付自在の第１及び第２固定ベルト係着手段8a,8bとが所定の位置で係着することにより、膝の上部及び下部に巻き付けて固定するものである。
【００２３】
又、第１、第２山形ベルト6,7は、山の斜面に相当する部分が、一方が長く、もう一方が短く形成されているものであり、山の裾に相当する部分である基部10a,10b,11a,11bが第１及び第２固定ベルト2,3に縫合され、山の頂に相当する部分の裏面に面ファスナーから成る取付自在の第１、第２山形ベルト係着手段9a,9bを有し、この係着手段9a,9bを第１又は第２固定ベルト2,3の表面の所定の位置に係着することにより、膝の前面を覆い固定するものである。
【００２４】
そして、第１固定ベルト2及び第２固定ベルト3と、第１、第２中間ベルト4,5と、第１、第２山形ベルト6,7は伸縮性を有し、更に第１、第２中間ベルト4,5と第１、第２山形ベルト6,7の伸縮性は第１固定ベルト2及び第２固定ベルト3の伸縮性よりも高いものである。
【００２５】
又、第１、第２中間ベルト4,5と第１、第２山形ベルト6,7は、それぞれのベルト2〜7が所定の位置に固定されたとき、膝蓋骨の前面で重着されるものである。更に、第１及び第２固定ベルト係着手段8a,8bは膝の前面に係着し、第１、第２山形ベルト係着手段9a,9bは膝の側面に係着するものである。
【実施例】
【００２６】
以下、本発明の実施例を図に基づいて詳説する。本発明に係る膝専用サポーター1は、図１に示すように、帯状の第１固定ベルト2及び第２固定ベルト3と、第１中間ベルト4及び第２中間ベルト5と、山形形状の第１山形ベルト6及び第２山形ベルト7と、を備えるものである。
【００２７】
そして、第１及び第２固定ベルト2,3の両端には第１、第２中間ベルト4,5の上下端がそれぞれ縫合され、第１及び第２固定ベルト2,3、第１、第２中間ベルト4,5に囲まれた開口12を形成するものである。
【００２８】
尚、この開口12は横長の楕円状に形成されており、第１及び第２固定ベルト2,3は、この開口12の形状に合わせてそれぞれ外方へ張り出させた形状とするものである。
【００２９】
又、第１及び第２固定ベルト2,3の表面は面ファスナーが貼り付く材質から成り、第１中間ベルト4の上下に位置する第１及び第２固定ベルト2,3の裏面には面ファスナーから成る第１及び第２固定ベルト係着手段8a,8bが縫着されている。
【００３０】
そして、第１、第２山形ベルト6,7は、山の斜面に相当する部分が、一方が長く、もう一方が短く形成されているものであり、山の頂に相当する部分の裏面に面ファスナーから成る第１、第２山形ベルト係着手段9a,9bを有しているものである。
【００３１】
又、山の裾に相当する部分を基部10a,10b,11a,11bとし、第１固定ベルト2の一端近傍にして、第１中間ベルト4の内側上方の位置に第１山形ベルト第１基部10a及び第２山形ベルト第１基部11aが開口12から斜め上方に向かって略同じ位置でそれぞれ縫合されており、同様に第２固定ベルト3の一端近傍にして、第１中間ベルト4の内側下方の位置に第１山形ベルト第２基部10b及び第２山形ベルト第２基部11bが開口12から斜め下方に向かって略同じ位置でそれぞれ縫合されている。
【００３２】
この第１及び第２固定ベルト2,3と、第１、第２中間ベルト4,5と、第１、第２山形ベルト6,7は、それぞれ伸縮性を有するものであり、特に第１、第２中間ベルト4,5及び第１、第２山形ベルト6,7は、第１及び第２固定ベルト2,3よりも高い伸縮性から成る薄い素材を用いることが好ましい。
【００３３】
そして、第１及び第２固定ベルト2,3の表面は面ファスナーが貼り付く材質を用いているため、第１及び第２固定ベルト係着手段8a,8b及び第１、第２山形ベルト係着手段9a,9bは第１及び第２固定ベルト2,3の表面の任意の部分において貼り付けることができるものである。尚、適正な位置に固定するためには、第１及び第２固定ベルト係着手段8a,8bは、第２中間ベルト5の上下に位置する第１及び第２固定ベルト2,3の表面の一部である第１及び第２固定ベルト係着部80a,80bの付近に係着させることが好ましく、第１、第２山形ベルト係着手段9a,9bは、開口12の上下に位置する第１及び第２固定ベルト2,3の表面の一部である第１、第２山形ベルト係着部90a,90bの付近に係着させることが好ましい。
【００３４】
以下、この膝専用サポーター1をＯ脚者の右脚に対して装着する場合の手順を説明する。
先ず、第１、第２山形ベルト6,7の基部10a,10b,11a,11bが直近に取り付けられている第１中間ベルト4を膝の外側として第２中間ベルト5を膝の前面に当て、第１中間ベルト4を膝の外側から膝の後方を回して内側から膝の前方に当てるように膝専用サポーター1を膝に巻き付ける。そして、第１固定ベルト係着手段8aを膝の前面において、第１固定ベルト係着部80aの付近に係着させ、第２固定ベルト係着手段8bを膝の前面において、第２固定ベルト係着部80bの付近に係着する。このとき、図２に示すように第１及び第２固定ベルト2,3が膝の上下部をそれぞれ圧迫するように固定されており、特に膝の前面内側の部分は、第２中間ベルト5側の第１及び第２固定ベルト2,3の一端を押さえ付けるように第１及び第２固定ベルト2,3が重なって巻き付け固定されているため、この部分は他の部分に比べて強い圧迫力が加わることとなる。又、第１中間ベルト4は第２中間ベルト5の表面に重なって配置され、開口12は膝の裏面に配置される。尚、第１及び第２固定ベルト2,3を装着する際、第１固定ベルト2は上方に、第２固定ベルト3は下方に引っ張ることで第１、第２中間ベルト4,5及び第１、第２山形ベルト6,7の基部10a,10b,11a,11bに適当な張力を掛けることができる。
【００３５】
次に第２山形ベルト7の頂部を膝の内側から外側に向かって引っ張り適当な張力を掛けた状態で、第２山形ベルト係着手段9bを第２固定ベルト3に形成した第２山形ベルト係着部90bの付近に係着する。このとき、図３に示すように第２山形ベルト7は第２中間ベルト5の表面に重なっている第１中間ベルト4の表面を更に覆うように重ねるようにする。
【００３６】
同様に、第１山形ベルト6の頂部を膝の内側から外側に向かって引っ張り適当な張力を掛けた状態で、第１山形ベルト係着手段9aを第１固定ベルト2に形成した第１山形ベルト係着部90aの付近に係着する。このとき、図４に示すように第１山形ベルト6は第２山形ベルト7の表面を覆うように重なって配置され、膝専用サポーター1の装着が完了する。尚、膝専用サポーター1の向きを逆にすれば同じものを左脚に装着することもできる。
【００３７】
尚、Ｘ脚を補正する場合は、第１、第２山形ベルト6,7の基部10a,10b,11a,11bが直近に取り付けられた第１中間ベルト4を膝の内側として第２中間ベルト5を膝の前面に当て、第１中間ベルト4を膝の内側から膝の後方を回して外側から膝の前方に当てるように膝専用サポーター1を膝に巻き付け、第１山形ベルト6及び第２山形ベルト7の頂部を内側に引っ張って膝の前面に重ねるものである。
【００３８】
このようにして装着された膝専用サポーター1は、第２中間ベルト5が膝の前面部を覆い、その前面に第１中間ベルト4が重着し、更にその前面には第２山形ベルト7、第１山形ベルト6が重着されている。即ち、膝蓋骨は計４枚のベルトにより覆われている。
【００３９】
このように装着すると、第１、第２山形ベルト6,7は適当な張力の掛った状態で保持されている。このとき、Ｏ脚の場合、図５に示すように膝の上下の内側は第１、第２山形ベルト6,7の山の裾にあたる第１及び第２基部10a,10b,11a,11bの全体で支持しているのに対し、膝の上下の外側においては第１、第２山形ベルト6,7の山の頂部にあたる第１、第２山形ベルト係着手段9a,9bのそれぞれ１箇所で支持しているため、膝の前面内側の部分である特定部13においては、第２中間ベルト5側の第１及び第２固定ベルト2,3の一端を押さえ付けるように第１及び第２固定ベルト2,3が重なって巻きつけられ、更に第１、第２山形ベルト6,7の第１及び第２基部10a,10b,11a,11bがその部分を覆って押さえ付けているため、他の部分に比べて強い圧迫力が加わることとなり、膝の前面内側の緊縛状態を強めることができる。したがって、この特定部13及びその近辺への圧迫によるテーピング効果により、膝の内側の筋肉が支持されるため、内側の関節軟骨にかかる負担を軽減することができる。又、Ｘ脚の場合は逆に装着しているため、逆の作用により外側の関節軟骨にかかる負担を軽減することができる。
【００４０】
尚、このとき第１、第２中間ベルト4,5により膝頭を覆って、膝蓋骨の位置に上下方向の張力を与えて大腿直筋の力を補助し、第１、第２山形ベルト6,7で膝頭位置を覆い膝蓋骨の位置を通る斜め方向の張力を与えて内側広筋や外側広筋の力を補助することができる。
【００４１】
このようにして、第１、第２中間ベルト4,5及び第１、第２山形ベルト6,7の計４枚のベルトが膝蓋骨全体を覆い、膝内側を強めとして膝の部分を適度に圧迫することで膝蓋骨の動揺も抑制することができる。
【００４２】
更に、膝蓋骨の前面は第１、第２中間ベルト4,5及び第１、第２山形ベルト6,7の計４枚のベルトが重なっているため、保温力を保つことができる。尚、第１、第２中間ベルト4,5及び第１、第２山形ベルト6,7は伸縮性が高く、且つ薄い素材から成るため、膝の屈伸運動を妨げず、かさばることもない。
【００４３】
又、この膝専用サポーター1はナイロンやネオプレン（登録商標）又はポリエステルやポリウレタン製の布地を使用し、適度な伸縮性と保温力を有する膝専用サポーター1とすることが容易にできるものである。
【００４４】
このように、前述の膝専用サポーター1は、第１固定ベルト2は膝蓋骨上部を適度に圧迫しており、更に膝の屈伸の際、第１、第２中間ベルト4,5及び第１、第２山形ベルト6,7が伸び、その弾性戻り力が膝を伸ばす方向に作用するため大腿四頭筋を補助することとなる。
【００４５】
そして、特に汗をかきやすい膝の裏面には、膝の側面から裏面にかけて幅が広くなるように楕円状に形成された開口12が配置されているため、長時間装着しても蒸れ難く、屈曲のときにベルトが邪魔とならない。
【００４６】
更に、第１及び第２固定ベルト係着手段8a,8bは膝の前面において第１及び第２固定ベルト係着部80a,80bの付近に係着され、第１、第２山形ベルト係着手段9a,9bは膝の側面において第１、第２山形ベルト係着部90a,90bの付近に係着されるため、装着が容易である。
【００４７】
又、第１及び第２固定ベルト2,3、第１、第２中間ベルト4,5が上下左右対称となっているため、左右兼用且つ、Ｏ脚Ｘ脚兼用とすることができる。
【００４８】
そして、この膝専用サポーター1を装着することにより、装着者は、前述のような効果、即ち膝関節の動揺の抑制作用、関節周辺の筋力の補助作用、屈曲性及び保温性を確保しつつ、Ｏ脚者の膝の内側の関節軟骨の負担を軽減するといった効果を得ることができる。したがって、膝専用サポーター1は、装着者の膝の痛みを緩和し、膝の運動を促すことで、膝周辺の筋肉鍛錬をサポートすることととなり、変形性膝関節症の進行を妨げ、延いては改善するのに有効な手段として用いられるものである。
尚、本発明は、以上の実施例の形態に限定されるものでなく、発明の要旨を逸脱しない範囲で自由に変更、改良が可能である。
【図面の簡単な説明】
【００４９】
【図１】本発明に係る膝専用サポーターの平面図（表面）。
【図２】本発明に係る膝専用サポーターの第１固定ベルトと第２固定ベルトを装着した状態を示す図。
【図３】本発明に係る膝専用サポーターの第２山形ベルトを装着した状態を示す図。
【図４】本発明に係る膝専用サポーターを装着した状態を示す図。
【図５】本発明に係る膝専用サポーターを装着した状態の正面から見た状態を示す図。
【符号の説明】
【００５０】
1  膝専用サポーター                2  第１固定ベルト
3  第２固定ベルト                  4  第１中間ベルト
5  第２中間ベルト                  6  第１山形ベルト
7  第２山形ベルト
8a  第１固定ベルト係着手段         8b  第２固定ベルト係着手段
9a  第１山形ベルト係着手段         9b  第２山形ベルト係着手段
10a  第１山形ベルト第１基部        10b  第１山形ベルト第２基部
11a  第２山形ベルト第１基部        11b  第２山形ベルト第２基部
12  開口                           13  特定部
80a  第１固定ベルト係着部          80b  第２固定ベルト係着部
90a  第１山形ベルト係着部          90b  第２山形ベルト係着部
【図１】
2009072304.tif 000003
【図２】
2009072304.tif 000004
【図３】
2009072304.tif 000005
【図４】
2009072304.tif 000006
【図５】
2009072304.tif 000007